(57)【要約】【課題】収納ケースの収納部材に対する収納物の出し入れ操作が容易、かつ、迅速にできるようにする。【解決手段】収納ケース１が、全体として矩形状をなす基板４と、この基板４に沿った一方向Ａでこの基板４の裏面６の一端部側８に取り付けられる収納部材９とを備える。この収納部材９が一方向Ａと反対の方向に向って開きこの収納部材９に収納物２を出し入れ可能とさせる開口１０を有する。基板４における一方向Ａでの中央部にこの一方向Ａに対し直交方向Ｂに延びる折れ線２０を形成する。基板４の一端部側８と他端部側１６の各表面５，５同士が互いに対面するよう折れ線２０に従って基板４を「２枚重ね状」に折り畳み可能とする。一方向Ａで、収納部材９の開口１０を折れ線２０の近傍に配置する。【選択図】　　図１
2004049659.tif 000002
【特許請求の範囲】
【請求項１】
全体として矩形状をなす基板と、この基板に沿った一方向でこの基板の裏面の一端部側に取り付けられる収納部材とを備え、この収納部材が上記一方向と反対の方向に向って開きこの収納部材に収納物を出し入れ可能とさせる開口を有し、上記基板における上記一方向での中央部にこの一方向に対し直交方向に延びる折れ線を形成し、上記基板の上記一端部側と他端部側の各表面同士が互いに対面するよう上記折れ線に従って上記基板を「２枚重ね状」に折り畳み可能とした折り畳み式収納ケースにおいて、
上記一方向で、上記収納部材の開口を上記折れ線の近傍に配置した折り畳み式収納ケース。
【請求項２】
上記基板における上記直交方向の中央部をこの直交方向で挟むように上記一方向に向って互いに平行に延びる一対の他の折れ線を上記基板に形成し、上記直交方向での上記基板の一側部側と他側部側の各裏面同士が互いに対面するよう上記両他の折れ線に従ってそれぞれ上記基板を「他の２枚重ね状」に折り畳み可能とした請求項１に記載の折り畳み式収納ケース。
【請求項３】
上記「２枚重ね状」の基板を、上記両他の折れ線に従って「４枚重ね状」に折り畳み可能とした請求項２に記載の折り畳み式収納ケース。
【請求項４】
上記「４枚重ね状」の上記一端部側と他端部側の上記一方向での各自由端縁を水平な平坦面上に載置させることにより、この平坦面上に上記収納ケースを自立可能とした請求項３に記載の折り畳み式収納ケース。
【請求項５】
上記基板を上記「他の２枚重ね状」の状態に保持可能とする保持手段を設け、この保持手段により上記基板を上記「４枚重ね状」の状態に保持可能とした請求項４に記載の折り畳み式収納ケース。
【発明の詳細な説明】
【０００１】
【発明が属する技術分野】
本発明は、化粧品、文具、工具などの小物の収納物を収納して、コンパクトに折り畳んだ状態で持ち運びが可能とされ、一方、展開させることにより上記収納物の出し入れが可能とされる折り畳み式収納ケースに関するものである。
【０００２】
【従来の技術】
上記折り畳み式収納ケースには、従来、次のように構成されたものがある。
【０００３】
即ち、上記収納ケースが、全体として矩形状をなす基板と、この基板に沿った一方向でこの基板の裏面の一端部側に取り付けられる収納部材とを備え、この収納部材は、上記一方向と反対の方向に向って開きこの収納部材に収納物を出し入れ可能とさせる開口を有している。上記基板における上記一方向での中央部にこの一方向に対し直交方向に延びる折れ線が形成され、上記基板の上記一端部側と他端部側の各表面同士が互いに対面するよう上記折れ線に従って上記基板が２枚重ね状に折り畳み可能とされ、上記収納部材の開口は、上記一方向で上記一端部側のほぼ中央に位置させられている。
【０００４】
そして、上記基板の上記一端部側と他端部側の各裏面同士が互いに対面するよう上記折れ線に従って上記基板を２枚重ねに折り畳むと、上記基板の一端部側と他端部側との間に上記収納部材とこれに収納された収納物とが挟まれて、この収納物が上記収納ケースの内部にコンパクトに収納され、もって、収納物を収納した状態で、この収納ケースの持ち運びが容易にできることとされている。
【０００５】
一方、上記収納ケースに収納物を出し入れ操作するときには、上記２枚重ねに折り畳んだ状態の基板を展開して全体的に平坦にさせ、もしくは、更に展開して、上記一端部側と他端部側の各表面同士が互いに対面するよう上記折れ線に従って上記基板を２枚重ね状に折り畳む。すると、この収納ケースの外方に上記収納部材の開口が露出させられて、この収納部材に対しての収納物の出し入れが可能とされる。
【０００６】
【発明が解決しようとする課題】
ところで、上記従来の技術では、収納部材の開口は、上記一方向で上記一端部側のほぼ中央に位置させられており、このため、上記開口を通して収納物を上記収納部材に対し出し入れ操作するとき、上記開口の外方近傍に存在する上記一端部側の部分が邪魔になって、その出し入れ操作が煩雑になるおそれがある。
【０００７】
本発明は、上記のような事情に注目してなされたもので、収納ケースの収納部材に対する収納物の出し入れ操作が容易、かつ、迅速にできるようにすることを課題とする。
【０００８】
【課題を解決するための手段】
上記課題を解決するための本発明の折り畳み式収納ケースは、次の如くである。なお、この項において各用語に付記した符号は、本発明の技術的範囲を後述の「発明の実施の形態」の項の内容に限定解釈するものではない。
【０００９】
請求項１の発明は、全体として矩形状をなす基板４と、この基板４に沿った一方向Ａでこの基板４の裏面６の一端部側８に取り付けられる収納部材９とを備え、この収納部材９が上記一方向Ａと反対の方向に向って開きこの収納部材９に収納物２を出し入れ可能とさせる開口１０を有し、上記基板４における上記一方向Ａでの中央部にこの一方向Ａに対し直交方向Ｂに延びる折れ線２０を形成し、上記基板４の上記一端部側８と他端部側１６の各表面５，５同士が互いに対面するよう上記折れ線２０に従って上記基板４を「２枚重ね状」（図１，２中二点鎖線、図４，５）に折り畳み可能とした折り畳み式収納ケースにおいて、
【００１０】
上記一方向Ａで、上記収納部材９の開口１０を上記折れ線２０の近傍に配置したものである。
【００１１】
請求項２の発明は、請求項１の発明に加えて、上記基板４における上記直交方向Ｂの中央部２４をこの直交方向Ｂで挟むように上記一方向Ａに向って互いに平行に延びる一対の他の折れ線２５，２５を上記基板４に形成し、上記直交方向Ｂでの上記基板４の一側部側２６と他側部側２７の各裏面６，６同士が互いに対面するよう上記両他の折れ線２５，２５に従ってそれぞれ上記基板４を「他の２枚重ね状」（図２）に折り畳み可能としたものである。
【００１２】
請求項３の発明は、請求項２の発明に加えて、上記「２枚重ね状」の基板４を、上記両他の折れ線２５，２５に従って「４枚重ね状」（図４中二点鎖線、図５）に折り畳み可能としたものである。
【００１３】
請求項４の発明は、請求項３の発明に加えて、上記「４枚重ね状」の上記一端部側８と他端部側１６の上記一方向Ａでの各自由端縁２９を水平な平坦面３０上に載置させることにより、この平坦面３０上に上記収納ケース１を自立可能としたものである。
【００１４】
請求項５の発明は、請求項４の発明に加えて、上記基板４を上記「他の２枚重ね状」の状態に保持可能とする保持手段３３を設け、この保持手段３３により上記基板４を上記「４枚重ね状」の状態に保持可能としたものである。
【００１５】
【発明の実施の形態】
以下、本発明の実施の形態を図面により説明する。
【００１６】
図１，２において、符号１は収納ケースであり、主に化粧品、文具、工具など、長さを有する小物の収納物２を出し入れ自在に収納させるものである。
【００１７】
上記収納ケース１は、全体として矩形状（長方形状）をなし短辺と長辺を有する基板４を備え、この基板４の２面のうち、一方の面が表面５、他方の面が裏面６とされている。
【００１８】
上記収納ケース１は、上記基板４に沿い、かつ、この基板４の短辺に平行な一方向Ａで、この基板４の裏面６の一端部側８に取り付けられる収納部材９を備え、この収納部材９は、上記一方向Ａと反対の方向に向って開きこの収納部材９内に上記収納物２を出し入れ可能とさせる開口１０を有している。上記収納部材９は上記基板４に沿った方向で、上記一方向Ａに直交する直交方向Ｂで複数並設されている。また、上記収納ケース１は、上記収納部材９群の外面に取り付けられる他の収納部材１２を備え、この他の収納部材１２は、上記一方向Ａと反対方向に向って開きこの他の収納部材１２内に上記収納物２を出し入れ可能とさせる開口１３を有している。
【００１９】
また、上記収納ケース１は、上記基板４の上記一方向Ａとは反対の方向の他端部側１６の裏面６に接合するように設けられる透明樹脂製のカバー体１７を備え、このカバー体１７は上記直交方向Ｂで複数（２枚）並設されている。上記基板４の他端部側１６とカバー体１７の上記一方向Ａと反対の方向における各端縁部同士が互いに結合されて結合部１８とされ、この結合部１８を中心として上記各カバー体１７が上記他端部側１６の裏面６から離れる方向に向って往、復回動Ｃ，Ｄするよう上記基板４の他端部側１６に枢支されている。
【００２０】
図１，２，４，５において、上記基板４における上記一方向Ａでの中央部に上記直交方向Ｂに延びる折れ線２０が形成され、この折れ線２０は、上記基板４における一端部側８と他端部側１６との間に位置している。上記基板４の上記一端部側８と他端部側１６の各表面５，５同士が互いに対面するよう上記折れ線２０に従って上記基板４が「２枚重ね状」に折り畳み可能とされている（図１，２中二点鎖線、図４，５）。
【００２１】
図１において、上記一方向Ａで、上記収納部材９の開口１０は上記折れ線２０の近傍に配置され、より具体的には、上記収納部材９の開口１０は、上記折れ線２０から上記一方向Ａに少し離れて配置されている。また、上記他の収納部材１２の開口１３は上記他端部側１６における一方向Ａでのほぼ中央部に配置されている。一般に、上記収納部材９には、上記収納物２の長手方向の一端部２２が上記開口１０を通し収納部材９に出し入れ自在に挿入されて上記収納物２が収納ケース１に収納されるようになっており、この場合、この収納物２の他端部２３は、上記収納部材９の開口１０から上記一方向Ａと反対方向の外方に向い突出して上記折れ線２０を横切っている。また、この場合、上記収納物２の他端部２３は、その外方から上記カバー体１７の自由端側により開閉自在に覆われている。
【００２２】
図３において、上記基板４における上記直交方向Ｂの中央部２４を上記直交方向Ｂで挟むように上記一方向Ａに向って互いに平行に延びる一対の他の折れ線２５，２５が上記基板４に形成されている。上記直交方向Ｂでの上記基板４の一側部側２６と他側部側２７の各裏面６，６同士が互いに対面するよう上記両他の折れ線２５，２５に従ってそれぞれ上記基板４が「他の２枚重ね状」に折り畳み可能とされている。この「他の２枚重ね状」にすると、上記基板４の一側部側２６と他側部側２７との間に上記収納部材９，１２とこれに収納された収納物２とが挟まれて、この収納物２が上記収納ケース１の内部にコンパクトに収納され、もって、収納物２を収納した状態で、この収納ケース１の持ち運びが容易にできることとされている（図３）。また、この場合、上記収納物２が収納部材９，１２から無意図的に抜け落ちることは、上記カバー体１７によって防止される。
【００２３】
図４，５において、上記基板４を上記「２枚重ね状」に折り畳んだ状態から、上記一側部側２６と他側部側２７とを互いに対面させるよう上記一対の他の折れ線２５，２５に従って上記基板４が「４枚重ね状」に折り畳み可能とされている（図４中二点鎖線、図５）。
【００２４】
図５において、上記「４枚重ね状」の上記一端部側８と他端部側１６の上記一方向Ａでの各自由端縁２９を上記収納ケース１の下端に位置させてこの端縁２９を水平な平坦面３０上に載置させることにより、この平坦面３０上に上記収納ケース１が自立可能とされ、この収納ケース１の自立状態で、上記収納部材９と他の収納部材１２の各開口１０，１３は上方に向って開いている。
【００２５】
図３において、上記基板４を上記「他の２枚重ね状」の状態に保持可能とする保持手段３３が設けられている。この保持手段３３は、上記基板４の一側部側２６と他側部側２７の各自由端部を互いに係止（図３中二点鎖線）、離脱（図３中実線）自在とする一対の面テープ組３４，３５を備えている。
【００２６】
図５において、上記保持手段３３により、上記基板４は上記「４枚重ね状」の状態に保持可能とされている。より具体的には、上記基板４を「４枚重ね状」にしたとき、上記両面テープ組３４，３５のうち、一方の面テープ組３４の一部と、他方の面テープ組３５の一部とが互いに係脱自在に係止され、これにより、上記基板４が上記「４枚重ね状」の状態に保持可能とされている。
【００２７】
図１，３において、上記基板４は、互いに対面する繊維製で可撓性のある表、裏膜材３８，３９と、これら両膜材３８，３９の間に介設される複数枚（６枚）の矩形状板材４０とを備え、一方の上記膜材３８は上記基板４の表面５を構成し、他方の上記膜材３９は上記基板４の裏面６を構成し、上記各板材４０はある程度剛性のある厚紙製とされている。上記各板材４０は、一方向Ａと直交方向Ｂとに並設され、互いに隣り合う板材４０，４０間の隙間は、上記折れ線２０と各他の折れ線２５，２５とに合致し、上記両膜材３８，３９の各外縁部は互いに縫合により結合されている。また、上記隙間において、互いに対面する上記両膜材３８，３９の部分は互いに縫合により結合され、この結合により、上記折れ線２０と各他の折れ線２５が形成され、もって、上記基板４が成形されている。
【００２８】
上記構成によれば、上記開口１０を通し収納部材９に上記収納物２の一端部２２が出し入れ自在に挿入されて上記収納物２が収納ケース１に収納されている場合において、上記基板４を上記「２枚重ね状」（図１，２中二点鎖線、図４，５）にすると、上記収納部材９から開口１０を通し突出した上記収納物２の他端部２３は、上記基板４を「２枚重ね状」とした収納ケース１から上記一方向Ａと反対の方向の外方に向って突出させられる。
【００２９】
よって、上記収納ケース１に対し収納物２を出し入れ操作するとき、この収納物２の他端部２３を指で挟んで上記操作をすれば、上記収納ケース１の各部が上記操作の邪魔になるということは防止され、このため、収納ケース１の収納部材９に対する収納物２の出し入れ操作は容易、かつ、迅速にできることとなる。
【００３０】
また、前記したように、基板４における上記直交方向Ｂの中央部２４をこの直交方向Ｂで挟むように上記一方向Ａに向って互いに平行に延びる一対の他の折れ線２５，２５を上記基板４に形成し、上記直交方向Ｂでの上記基板４の一側部側２６と他側部側２７の各裏面６，６同士が互いに対面するよう上記両他の折れ線２５，２５に従ってそれぞれ上記基板４を「他の２枚重ね状」（図２）に折り畳み可能としてある。
【００３１】
このため、上記したように、基板４を「他の２枚重ね状」にすると、上記基板４の一側部側２６と他側部側２７との間に上記収納部材９，１２とこれに収納された収納物２とが挟まれて、この収納物２が上記収納ケース１の内部にコンパクトに収納され、もって、収納物２を収納した状態で、この収納ケース１の持ち運びが容易にできることとされ、つまり、上記したように、収納ケース１の収納部材９に対する収納物２の出し入れ操作が容易にできるものでありながら、収納物２を収納した状態での収納ケース１の持ち運びも容易にできる。
【００３２】
また、前記したように、「２枚重ね状」の基板４を、上記両他の折れ線２５，２５に従って「４枚重ね状」（図４中二点鎖線、図５）に折り畳み可能としてある。
【００３３】
ここで、上記したように、「２枚重ね状」の基板４を「４枚重ね状」にしたとしても、上記「２枚重ね状」のときと同様に、上記収納部材９から開口１０を通し突出した上記収納物２の他端部２３は、上記収納ケース１から上記一方向Ａと反対の方向の外方に向って突出させられたままに保たれる。
【００３４】
よって、上記収納ケース１の収納部材９に対する収納物２の出し入れ操作は容易、かつ、迅速にでき、しかも、「４枚重ね状」にした分、上記出し入れ操作は、自動車の車室内などより狭い空間ですることができて便利である。
【００３５】
また、前記したように、「４枚重ね状」の上記一端部側８と他端部側１６の上記一方向Ａでの各自由端縁２９を水平な平坦面３０上に載置させることにより、この平坦面３０上に上記収納ケース１を自立可能としてある。
【００３６】
このため、上記収納ケース１を平坦面３０上に自立させてやれば、上記収納部材９，１２の各開口１０，１３は上方に向って開くこととなり、よって、上記収納ケース１の収納部材９，１２に対する収納物２の出し入れ操作は、上記収納ケース１を把持するなどこの収納ケース１への操作を不要とした状態で、この収納ケース１の上方の広い空間を利用してでき、この結果、上記収納物２の出し入れ操作は更に容易、かつ、迅速にできる。
【００３７】
また、前記したように、基板４を上記「他の２枚重ね状」の状態に保持可能とする保持手段３３を設け、この保持手段３３により上記基板４を上記「４枚重ね状」の状態に保持可能としてある。
【００３８】
このため、上記保持手段３３によれば、基板４を「他の２枚重ね状」とした収納ケース１の持ち運び時や、基板４を「４枚重ね状」とした収納ケース１に対する収納物２の出し入れ操作時に、上記収納ケース１の基板４が無意図的に他に状態に変化するということが防止されて、上記持ち運びや収納物２の出し入れ操作が、より容易にできることとなる。
【００３９】
しかも、上記「他の２枚重ね状」の状態に保持する保持手段３３を「４枚重ね状」の状態に保持するものとして兼用したため、上記収納物２の出し入れ操作を容易、かつ、迅速可能にさせることは、簡単な構成で達成される。
【００４０】
なお、以上は図示の例によるが、膜材３８，３９は不透水性の樹脂膜材製であってもよく、上記縫合は溶着や接着であってもよい。また、板材４０は、樹脂製板であってもよく、折れ線２０，２５は、上記板材４０に凹み線（溝）を形成したものであってもよい。また、上記基板４を「２枚重ね状」にして端縁２９を平坦面３０上に載置させることにより、この平坦面３０上に上記収納ケース１を自立可能にしてもよく、上記保持手段３３により、上記基板４を「２枚重ね状」の状態に保持可能とさせてもよい。
【００４１】
更に、上記収納ケース１は、基板４の一側部側２６と他側部側２７のうち、少なくともいずれか一方の上記直交方向Ｂでの自由端縁に、他の基板を付加的に連結したものであってもよく、この場合、例えば、基板４を「他の２枚重ね状」にしたとき、この基板４の一側部側２６と他側部側２７との間に上記他の基板が挟まれるようにしてもよい。
【００４２】
【発明の効果】
本発明による効果は、次の如くである。
【００４３】
請求項１の発明は、全体として矩形状をなす基板と、この基板に沿った一方向でこの基板の裏面の一端部側に取り付けられる収納部材とを備え、この収納部材が上記一方向と反対の方向に向って開きこの収納部材に収納物を出し入れ可能とさせる開口を有し、上記基板における上記一方向での中央部にこの一方向に対し直交方向に延びる折れ線を形成し、上記基板の上記一端部側と他端部側の各表面同士が互いに対面するよう上記折れ線に従って上記基板を「２枚重ね状」に折り畳み可能とした折り畳み式収納ケースにおいて、
【００４４】
上記一方向で、上記収納部材の開口を上記折れ線の近傍に配置してある。
【００４５】
このため、上記開口を通し収納部材に上記収納物の一端部が出し入れ自在に挿入されて上記収納物が収納ケースに収納されている場合において、上記基板を上記「２枚重ね状」にすると、上記収納部材から開口を通し突出した上記収納物の他端部は、上記基板「２枚重ね状」とした収納ケースから上記一方向と反対の方向の外方に向って突出させられる。
【００４６】
よって、上記収納ケースに対し収納物を出し入れ操作するとき、この収納物の他端部を指で挟んで上記操作をすれば、上記収納ケースの各部が上記操作の邪魔になるということは防止され、このため、収納ケースの収納部材に対する収納物の出し入れ操作は容易、かつ、迅速にできることとなる。
【００４７】
請求項２の発明は、上記基板における上記直交方向の中央部をこの直交方向で挟むように上記一方向に向って互いに平行に延びる一対の他の折れ線を上記基板に形成し、上記直交方向での上記基板の一側部側と他側部側の各裏面同士が互いに対面するよう上記両他の折れ線に従ってそれぞれ上記基板を「他の２枚重ね状」に折り畳み可能としてある。
【００４８】
このため、上記したように、基板を「他の２枚重ね状」にすると、上記基板の一側部側と他側部側との間に上記収納部材とこれに収納された収納物とが挟まれて、この収納物が上記収納ケースの内部にコンパクトに収納され、もって、収納物を収納した状態で、この収納ケースの持ち運びが容易にできることとされ、つまり、上記したように、収納ケースの収納部材に対する収納物の出し入れ操作が容易にできるものでありながら、収納物を収納した状態での収納ケースの持ち運びも容易にできる。
【００４９】
請求項３の発明は、上記「２枚重ね状」の基板を、上記両他の折れ線に従って「４枚重ね状」に折り畳み可能としてある。
【００５０】
ここで、上記したように、「２枚重ね状」の基板を「４枚重ね状」にしたとしても、上記「２枚重ね状」のときと同様に、上記収納部材から開口を通し突出した上記収納物の他端部は、上記収納ケースから上記一方向と反対の方向の外方に向って突出させられたままに保たれる。
【００５１】
よって、上記収納ケースの収納部材に対する収納物の出し入れ操作は容易、かつ、迅速にでき、しかも、「４枚重ね状」にした分、上記出し入れ操作は、自動車の車室内などより狭い空間ですることができて便利である。
【００５２】
請求項４の発明は、上記「４枚重ね状」の上記一端部側と他端部側の上記一方向での各自由端縁を水平な平坦面上に載置させることにより、この平坦面上に上記収納ケースを自立可能としてある。
【００５３】
このため、上記収納ケースを平坦面上に自立させてやれば、上記収納部材の各開口は上方に向って開くこととなり、よって、上記収納ケースの収納部材に対する収納物の出し入れ操作は、上記収納ケースを把持するなどこの収納ケースへの操作を不要とした状態で、この収納ケースの上方の広い空間を利用してでき、この結果、上記収納物の出し入れ操作は更に容易、かつ、迅速にできる。
【００５４】
請求項５の発明は、上記基板を上記「他の２枚重ね状」の状態に保持可能とする保持手段を設け、この保持手段により上記基板を上記「４枚重ね状」の状態に保持可能としてある。
【００５５】
このため、上記保持手段によれば、基板を「他の２枚重ね状」とした収納ケースの持ち運び時や、基板を「４枚重ね状」とした収納ケースに対する収納物の出し入れ操作時に、上記収納ケースの基板が無意図的に他に状態に変化するということが防止されて、上記持ち運びや収納物の出し入れ操作が、より容易にできることとなる。
【００５６】
しかも、上記「他の２枚重ね状」の状態に保持する保持手段を「４枚重ね状」の状態に保持するものとして兼用したため、上記収納物の出し入れ操作を容易、かつ、迅速可能にさせることは、簡単な構成で達成される。
【図面の簡単な説明】
【図１】収納ケースを平坦に展開した斜視図である。
【図２】図１の２‐２線矢視断面図である。
【図３】収納ケースの基板を「他の２枚重ね状」にした斜視図である。
【図４】収納ケースの基板を「２枚重ね状」にした斜視図である。
【図５】収納ケースの基板を「４枚重ね状」にした斜視図である。
【符号の説明】
１　　　収納ケース
２　　　収納物
４　　　基板
５　　　表面
６　　　裏面
８　　　一端部側
９　　　収納部材
１０　　開口
１６　　他端部側
２０　　折れ線
２２　　一端部
２３　　他端部
２４　　中央部
２５　　他の折れ線
２６　　一側部側
２７　　他側部側
２９　　端縁
３０　　平坦面
３３　　保持手段
Ａ　　　一方向
Ｂ　　　直交方向
【図１】
2004049659.tif 000003
【図２】
2004049659.tif 000004
【図３】
2004049659.tif 000005
【図４】
2004049659.tif 000006
【図５】
2004049659.tif 000007
【手続補正書】
【提出日】平成14年7月26日(2002.7.26)
【手続補正１】
【補正対象書類名】図面
【補正対象項目名】全図
【補正方法】変更
【補正の内容】
【図１】
2004049659.tif 000008
【図２】
2004049659.tif 000009
【図３】
2004049659.tif 000010
【図４】
2004049659.tif 000011
【図５】
2004049659.tif 000012